(57)【特許請求の範囲】
【請求項１】
枠体の周面部と防虫網の周縁部に、面ファスナーの係合部と被係合部をそれぞれ取付け、
前記枠体の周面部、防虫網の周縁部における周方向に間隔を置いた複数位置に、スナップ式の固着具の係合部材と被係合部材を、それぞれ位置決めして取付け、
前記固着具の係合部材は、面ファスナーの係合部に、その係合部を挟持するように取付けられ、その係合部材の一部分が係合部の裏面よりも突出し、
前記枠体の周面部には、前記係合部の裏面よりも突出した係合部材の一部分が入り込む凹部と、この凹部と連続して係合部の裏面が接する支持面が形成され、
前記係合部材を取付けた係合部が、その係合部材の一部分が凹部に入り込むと共に、係合部の裏面が支持面に接して取付けられ、
この固着具と前記面ファスナーがそれぞれ係合して枠体に防虫網が取付けてあることを特徴とする防虫網付き建具。
【請求項２】
固着具の係合部材と被係合部材は、枠体の周面部の各コーナー部と防虫網の周縁部の各コーナー部に、隣接したコーナー部に取付けた係合部材と被係合部材が係合することで、防虫網の隣接したコーナー部間の部分が緊張した状態となるように取付けした請求項１記載の防虫網付き建具。
【請求項３】
固着具の被係合部材は、防虫網と面ファスナーの被係合部を挟持して取付けてある請求項1又は２記載の防虫網付き建具。
【請求項４】
防虫網の周縁部に、面ファスナーを覆うカバー部材を取付けた請求項1〜３いずれか1項に記載の防虫網付き建具。
【発明の詳細な説明】
【技術分野】
【０００１】
本発明は、天窓、開き窓、網戸などの建具における枠体に防虫網を取付けた防虫網付き建具に関する。
【背景技術】
【０００２】
従来、枠体に防虫網を面ファスナーで取付けることが種々提案されている。
例えば、特許文献1に開示されたように、サッシの枠体の室外側周面部に面ファスナー（対向係合テープ）の雄体を固着し、防虫網の裏面周縁部に面ファスナー（対向係合テープ）の雌体を固着し、その雌体を雄体に係合することで防虫網を枠体の室外側に取付けた防虫網付きサッシが提案されている。
【特許文献１】実開昭５５−３７９２７号公報
【発明の開示】
【発明が解決しようとする課題】
【０００３】
前述したように枠体に防虫網を面ファスナーで取付けるには、防虫網に固着した面ファスナーの雌体を、枠体に固着した面ファスナーの雄体に係合しながら順次取付けるが、その際に、防虫網の位置ずれや、たるみが発生し易く、防虫網の取付位置がずれたり、防虫網が波打ち状態で均一に張れていない場合が往々にして発生する。
一方、雌体と雄体が係合すると防虫網を枠体に対して動かして位置調整や、張り状態を調整できない。
このために、前述のように取付位置がずれたり、均一に張れていない場合には、雌体を雄体から剥して防虫網を枠体から取り外し、再度雌体を雄体に係合して防虫網を正しく取付けなければならず、その作業が面倒である。
しかも、前述のように再度取付けしても取付位置がずれたり、均一に張れていないことがある。
【０００４】
要するに、面ファスナーを用いて防虫網を枠体に、正しい取付位置として均一な張り状態で取付けるには熟練した技術が必要で、一般の人が前述のように取付けることは大変むずかしく、取付けできたとしても長い時間がかかることになる。
【０００５】
本発明の目的は、防虫網を枠体に面ファスナーを用いて正しい取付位置に、均一な張り状態として簡単に取付けできるようにした防虫網付き建具とすることである。
【課題を解決するための手段】
【０００６】
本発明は、枠体の周面部と防虫網の周縁部に、面ファスナーの係合部と被係合部をそれぞれ取付け、
前記枠体の周面部、防虫網の周縁部における周方向に間隔を置いた複数位置に、スナップ式の固着具の係合部材と被係合部材を、それぞれ位置決めして取付け、
前記固着具の係合部材は、面ファスナーの係合部に、その係合部を挟持するように取付けられ、その係合部材の一部分が係合部の裏面よりも突出し、
前記枠体の周面部には、前記係合部の裏面よりも突出した係合部材の一部分が入り込む凹部と、この凹部と連続して係合部の裏面が接する支持面が形成され、
前記係合部材を取付けた係合部が、その係合部材の一部分が凹部に入り込むと共に、係合部の裏面が支持面に接して取付けられ、
前記固着具と前記面ファスナーがそれぞれ係合して枠体に防虫網が取付けてあることを特徴とする防虫網付き建具である。
【０００７】
本発明においては、固着具の係合部材と被係合部材は、枠体の周面部の各コーナー部と防虫網の周縁部の各コーナー部に、隣接したコーナー部に取付けた係合部材と被係合部材が係合することで、防虫網の隣接したコーナー部間の部分が緊張した状態となるように取付けできる。
このようにすれば、隣接したコーナー部に取付けた係合部材と被係合部材を順次係合させ、その後に面ファスナーの係合部と被係合部を係合することで、防虫網を所定の位置に均一な張り状態で取付けできる。
したがって、防虫網を枠体に面ファスナーを用いて取付ける作業がより一層簡単である。
【０００９】
本発明においては、固着具の被係合部材は、防虫網と面ファスナーの被係合部を挟持して取付けることができる。
このようにすれば、防虫網から面ファスナーの被係合部が外れにくくなる。
【００１０】
本発明においては、防虫網の周縁部に、面ファスナーを覆うカバー部材を取付けることができる。
このようにすれば、面ファスナーが見えないので、見栄えが良い。
【発明の効果】
【００１１】
本発明によれば、スナップ式の固着具の係合部材と被係合部材を係合することで防虫網が位置決めされると共に、隣接した固着具間の防虫網が緊張した状態となる。
この後に、面ファスナーの係合部と被係合部を係合することで防虫網を、その周縁部と枠体の周面部との間に隙間が生じることなく枠体に取付けできる。
したがって、防虫網を枠体に面ファスナーを用いて正しい取付位置に、均一な張り状態として簡単に取付けできる。
また、面ファスナーの係合部を枠体に取付けることで固着具の係合部材を枠体に取付けできる。
また、係合部材の一部分は凹部に入り込んでいるので、係合部の裏面を支持面に接して取付けできる。
【発明を実施するための最良の形態】
【００１２】
図1と図２に示すように、屋根1の開口部１ａに木製の取付用枠2を取付け、この取付用枠２の上端部に窓枠３を取付け、その窓枠3に障子4を開閉自在に取付けて建具としての天窓としてある。
前記取付用枠２の内周面に枠体１０が取付けてある。
この枠体１０に防虫網２０が、面ファスナー３０とスナップ式の固着具、例えばスナップ釦４０を用いて取付けてある。
これによって、防虫網付き建具としてある。
【００１３】
前記枠体１０は、屋根1の傾斜方向に相対向した第１枠材１１、第２枠材１２と、屋根１の傾斜方向と直角方向に相対向した第３枠材１３、第４枠材１４で矩形状である。
前記各枠材は、取付片１１ａ，１２ａ，１３ａ，１４ａと防虫網取付片１１ｂ，１２ｂ，１３ｂ，１４ｂで断面ほぼ鉤形状で、その各取付片１１ａ，１２ａ，１３ａ，１４ａが取付用枠２の内面に固着具５でそれぞれ固着してある。
【００１４】
このように、天窓の取付用枠２の内周面に枠体１０を取付け、その枠体１０の各枠材における防虫網取付片１１ｂ，１２ｂ，１３ｂ，１４ｂの下面に防虫網２０を面ファスナー３０とスナップ釦４０で取付けしたので、その防虫網２０によって障子４を開放した時に虫が室内に侵入することを防止できる。
また、防虫網２０を強い力で引っ張ることで面ファスナー３０、スナップ釦４０を外して防虫網２０を取り外しできるので、防虫網２０を交換できる。
また、枠体１０は取付用枠２に強固に固着して取付けてあるので、その枠体１０が外れて落下する恐れがなく、仮に落下する恐れがあるのは防虫網２０であるが、その防虫網２０が落下しても室内等を損傷することがないし、防虫網２０が破損することもない。
【００１５】
次に、枠体１０に防虫網２０を取付ける具体形状を図３〜図８に基づいて説明する。
前記面ファスナー３０は、各枠材の防虫網取付片１１ｂ，１２ｂ，１３ｂ，１４ｂ（つまり、枠体１０の周面部、例えば表側周面部）のほぼ全長に亘って固定して取付けた係合部３１と、防虫網２０の周縁部、例えば裏面周縁部のほぼ全長に亘って固定して取付けた被係合部３２を有している。
前記係合部３１は、例えばフック・マッシュルームなどであり、被係合部３２はループ体や不織布などを使用する。
【００１６】
前記スナップ式の固着具は、係合部材と被係合部材を係合、離脱としたもので、このスナップ式の固着具の一例とした前記スナップ釦４０は、相互に係脱自在に嵌まり合うように係合する雄釦４１と雌釦４２を備え、その雄釦４１が係合部材で、雌釦４２が被係合部材である。枠体１０の表側周面部に間隔を置いた複数位置、好ましくは各コーナー部と、防虫網２０の裏面周縁部に間隔を置いた複数位置、好ましくは各コーナー部とに各スナップ釦４０の雄釦４１と雌釦４２をそれぞれ位置決めして取付ける。
例えば、雄釦４１を面ファスナー３０の係合部３１に固定して取付け、雌釦４２は面ファスナー３０の被係合部３２と防虫網２０とに亘って固定して取付けてある。
【００１７】
前述の説明で各スナップ釦４０の雄釦４１と雌釦４２をそれぞれ位置決めして取付けるとは、各スナップ釦４０の雄釦４１と雌釦４２をそれぞれ嵌め合うことで、枠体１０に対して防虫網２０の取付け位置が正しく位置決めされると共に、隣接したスナップ釦４０間の防虫網２０が緊張した状態となることである。
【００１８】
このようであるから、防虫網２０に取付けた各雌釦４２を枠体１０に取付けた各雄釦４１にそれぞれ嵌め合わせ、その状態で面ファスナー３０の被係合部３２を係合部３１に押しつけて係合することで、防虫網２０の裏面周縁部を枠体１０の表側周面部に隙間なく接して取付けできる。
したがって、防虫網２０を枠体１０に面ファスナー３０を用いて正しい取付位置に、均一な張り状態として簡単に取付けできる。
【００１９】
また、各スナップ釦４０の雄釦４１、雌釦４２を枠体１０、防虫網２０の各コーナー部にそれぞれ取付けすれば、隣接したコーナー部に設けたスナップ釦４０の雄釦４１と雌釦４２を嵌め合うことで防虫網２０の隣接したコーナー部間の一辺部分が位置決めされ、かつ緊張した状態となり、その後に防虫網２０の自由な一片部分を引っ張って緊張した状態で残りの隣接したコーナー部に設けたスナップ釦４０の雄釦４１と雌釦４２を嵌め合うことで、防虫網２０を正しい位置に、均一に張られた状態で取付けできるし、その作業がより一層やり易い。
【００２０】
次に、面ファスナー３０とスナップ釦４０の取付けを詳細に説明する。
前記各枠材の防虫網取付片１１ｂ，１２ｂ，１３ｂ，１４ｂ（つまり、枠体１０の表側周面部）は、図６に示すように表側に開口した凹部５０と、この凹部５０と連続した一対の支持面５１，５１と、この一対の支持面５１，５１と連続し前記凹部５０を境として相対向した一対の内向溝５２を有している。
前記面ファスナー３０の係合部３１は、基地３３に鉤３４を複数設けたもので、被係合部３２は基地３５にループ３６を複数設けてある。
【００２１】
そして、係合部３１の基地３３が一対の支持面５１に接し、かつ一対の内向溝５２内に入り込むようにして設けられ、その内向溝５２を形成する部分をカシメたり、接着剤を用いたり、ねじを用いたり、釘を用いたり、又はそれらを組み合わせて係合部３１を固定して取付ける。
前記被係合部３２の基地３５は防虫網２０の裏面に縫製したり、接着剤、熱溶着又はそれらを組み合わせて固定して取付ける。
前述の熱溶着する場合には、基地３５と防虫網２０を樹脂製とし、加熱しながら圧接して溶着する。
【００２２】
前記スナップ釦４０の雄釦４１は、係合部３１を挟持するように取付けられ、雄釦４１の一部分は係合部３１の裏面よりも突出している。
例えば、図７に示すように突部４１ａを有した本体４１ｂと、この本体４１ｂにカシメによって固着される固着体４１ｃを備え、その本体４１ｂを面ファスナー３０の係合部３１の基地３３の表側に接し、固着体４１ｃを基地３３の裏側から、その基地３３を貫通して本体４１ｂとカシメることで係合部３１を挟持して取付けられ、固着体４１ｃ（雄釦４１の一部分）が裏面から突出する。
【００２３】
このようにしてスナップ釦４０の雄釦４１を係合部３１に取付けることで、係合部３１を取付けることで雄釦４１をも取付けできる。
一方、前記固着体４１ｃが基地３３の裏面より突出するが、図５に示すように固着体４１ｃが凹部５０内に入り込み、基地３３（係合部３１の裏面）を支持面５１に押付けることができるから、雄釦４１を取付けた面ファスナー３０の係合部３１を防虫網取付片１３ｂにしっかりと取付けできる。
【００２４】
前記スナップ釦４０の雌釦４２は防虫網２０と被係合部３２を挟持して取付けてある。
例えば、図８に示すように前記雄釦４１の突部４１ａと嵌まり合う凹部４２ａを有した本体４２ｂと、この本体４２ｂにカシメによって固着される固着体４２ｃを備え、面ファスナー３０の被係合部３２側に本体４２ｂを接し、防虫網２０側から固着体４２ｃを、防虫網２０、基地３５を貫通して本体４２ｂにカシメることで防虫網２０と被係合部３２を挟持して取付ける。
このようであるから、防虫網２０と被係合部３２が外れにくい。
【００２５】
そして、雄釦４１の本体４１ｂの突部４１ａと雌釦４２の本体４２ｂの凹部４２ａを嵌め合うことで雄釦４１と雌釦４２が連結される。
この時、面ファスナー３０の係合部３１と被係合部３２は、スナップ釦４０の周縁部分が係合するが、他の部分は係合しない。
【００２６】
前記防虫網２０の表面周縁部にはカバー材、例えば布６０が取付けてあり、この布６０で面ファスナー３０が表面から見えないようにして見栄えを良くしている。
図３では布６０は仮想線で図示してある。
また、スナップ釦４０の雌釦４２は布６０の上から取付けてあるので、その雌釦４２は表面から見える。
このカバー材は取付けてなくとも良い。
【００２７】
前述の実施の形態では面ファスナー３０の係合部３１を枠体１０側、被係合部３２を防虫網２０に取付けしたが、反対に取付けても良い。
また、係合部３１に雄釦４１、被係合部３２に雌釦４２を取付けしたが反対に取付けても良い。
【００２８】
前述の実施の形態では、天窓に防虫網２０を取付けるようにしたが、これに限ることはなく、開き窓、網戸などに防虫網２０を取付けることもできる。
例えば、開き窓の場合には窓枠を前述の枠体１０とし、その窓枠の表側周面部に防虫網を前述のようにして取付ける。
また、網戸の場合には網戸枠を前述の枠体１０とし、その網戸枠の表側周面部に防虫網を前述のようにして取付ける。
【００２９】
前述の実施の形態では、枠体１０を矩形状としたが、三角形状、五角形状などでも良いし、円形状などでも可能である。
【図面の簡単な説明】
【００３０】
【図１】本発明の実施の形態を示す天窓の屋根傾斜方向の断面図である。
【図２】天窓の屋根傾斜と直角方向の断面図である。
【図３】防虫網を備えた枠体の正面図である。
【図４】図３のＡ−Ａ拡大断面図である。
【図５】図３のＢ−Ｂ拡大断面図である。
【図６】防虫網取付片の面ファスナー取付部分の拡大断面図である。
【図７】スナップ釦の雄釦の取付け説明図である。
【図８】スナップ釦の雌釦の取付け説明図である。
【符号の説明】
【００３１】
１０…枠体、１１ｂ，１２ｂ，１３ｂ，１４ｂ…防虫網取付片（枠体の表側周面部）、２０…防虫網、３０…面ファスナー、３１…係合部、３２…被係合部、４０…スナップ釦（スナップ式の固着具）、４１…雄釦（係合部材）、４２…雌釦（被係合部材）、５０…凹部、５１…支持面、６０…布（カバー材）。
【図１】
0005105430.tif 000002
【図２】
0005105430.tif 000003
【図３】
0005105430.tif 000004
【図４】
0005105430.tif 000005
【図５】
0005105430.tif 000006
【図６】
0005105430.tif 000007
【図７】
0005105430.tif 000008
【図８】
0005105430.tif 000009